(57)【特許請求の範囲】
【請求項１】
後方が低くなるように傾斜した座部と、
座部の左右両側に沿って設けられた金属製の左右フレームと、
該左右フレームのいずれのフレームにもその上方から覆い被さる係合部を有して、左右フレームのいずれにも着脱自在に取り付けられるブラケットと、
該ブラケットに、座部の傾斜を打ち消して水平になる如く着脱自在に取り付けられるサイドテーブルとを備え、
前記サイドテーブルの裏面に前後方向に間隔をおいて高さの異なる一対の係合爪を突設し、前記ブラケットにはいずれの前記係合爪も係合可能な被係合部を設け、被係合部と係合する係合爪の組み合わせを選択することにより、サイドテーブルが水平になるようにしてなるサイドテーブル付き椅子。
【請求項２】
前記ブラケットの係合部の外面に面ファスナーを取り付け、座部の座シートの左右両端には座部の前記左右フレームの外側面に覆着されるカバーを設け、このカバーの裏側に前記面ファスナーと結合する面ファスナーを設けた請求項１に記載のサイドテーブル付き椅子。
【発明の詳細な説明】
【０００１】
【発明の属する技術分野】
本発明は、椅子の側面にサイドテーブルを備えたサイドテーブル付き椅子に関する。
【０００２】
【従来の技術】
従来、椅子の側面にサイドテーブルを備えたものとして、床面と接する椅子の脚より支柱を立設して、この支柱にサイドテーブルを取り付けたものが知られている。サイドテーブルは椅子の座部の近くに配置させるのが使い勝手の面から好ましく、このため従来のものは支柱を座部の近くまで立設させており、装置が大がかりになるものであった。装置をコンパクトにするには、サイドテーブルを座部に直接取り付ければよいが、座部は、一般的に座り心地を良くするために後方が低くなるように傾斜しており、直接取り付ける場合、座部が傾斜しているために、座部の左右いづれに対してもサイドテーブルを水平に保つて取り付けることができなかった。
【０００３】
【発明が解決しようとする課題】
本発明は、コンパクトな装置でもって、椅子の左右いづれの側面に対してもサイドテーブルを水平に保って装着できるサイドテーブル付き椅子を提供することを課題とする。
【０００４】
【課題を解決するための手段】
本発明は、後方が低くなるように傾斜した座部と、座部の左右両側に沿って設けられた金属製の左右フレームと、該左右フレームのいずれのフレームにもその上方から覆い被さる係合部を有して、左右フレームのいずれにも着脱自在に取り付けられるブラケットと、該ブラケットに、座部の傾斜を打ち消して水平になる如く着脱自在に取り付けられるサイドテーブルとを備え、前記サイドテーブルの裏面に前後方向に間隔をおいて高さの異なる一対の係合爪を突設し、前記ブラケットにはいずれの前記係合爪も係合可能な被係合部を設け、被係合部と係合する係合爪の組み合わせを選択することにより、サイドテーブルが水平になるようにしたものである。
【０００６】
かかる構成により、座部に直接取り付けたブラケットにサイドテーブルを取り付ける構成なので、装置のコンパクト化ができる。
【０００７】
また前記ブラケットには、座部の左右フレームのいずれにもその上方から覆い被さる如く係合する係合部を設けているので、係合部を座部の左右フレームに係合するだけで、簡単にブラケットを座部に取り付けることができる。
【０００８】
また前記ブラケットの係合部の外面に面ファスナーを取り付け、座部の座シートの左右両端には座部の左右フレームの外側面に覆着されるカバーを設け、このカバーの裏側に前記面ファスナーと結合する面ファスナーを設ける。
【０００９】
かかる構成により、ブラケットはその係合部の外面の面ファスナーが座シートに設けたカバーの裏側の面ファスナーと結合して、前後方向の動きが完全に阻止されると共に、係合部がカバーで覆われるので、外観上すっきりとできる。
【００１２】
【発明の実施の形態】
本発明を、椅子としてマッサージ椅子を例に図に基づき説明する。マッサージ椅子１は、背凭れ部２と、座部３と、座部３の前端に回動自在に連結されたフットレスト４と、座部３と背凭れ部２に亘ってその左右両側に設けられた肘当て部５と、これらを支持するフレーム機構により構成される。フレーム機構は、前後方向に延びて全荷重を受けるベースフレーム６や、ベースフレーム間を連結する連結フレーム７、座部３や背凭れ部２をベースフレーム６に支持する支持フレーム（図示せず）等より構成される。
【００１３】
背凭れ部２は座部３に対して図示しないリクライニング機構により起倒自在となっており、内部には、肩や背中や腰を揉んだり叩いたりする施療子８を左右一対備えたマッサージユニット９が上下方向に移動自在に設けられている。この背凭れ部２は図示しないカバーで覆われて施療子８を覆い隠している。図１や図２においては、カバーを取り除いた状態を示している。
【００１４】
座部３は前側と左右両側の三方が角形パイプ状の金属製フレーム１０で囲まれている。座部３の前側と左右両側のフレーム１０の下面には、底板１１が装着され、この底板１１上に第１マット１２が載置されている。この第１マット１２と前側と左右両側のフレーム１０上には、座シートとなる第２マット１３が載置されている。前記フレーム１０、底板１１、第１マット１２、第２マット１３より構成される座部３は、座り心地が良くなるようにその後方が低くなるように傾斜した状態で取り付けられている。
【００１５】
座部３の前記左右のフレーム１０の外面には、図１乃至図４に示すように商品名マジックテープで代表される面ファスナー１４が貼り着けてある。また、第２マット１３の上面の左右両端には、図４や図５に示す如く布製カバー１５が縫着され、このカバー１５の裏側には、前記面ファスナー１４や後述する面ファスナー２０と結合する他方の面ファスナー１６が縫い着けられている。
【００１６】
ところで、サイドテーブル１７が座部３の傾斜を打ち消して水平になるように、座部３の左右両側のいづれの側にも取り付けられるようになっているが、以下この構成について詳述する。
【００１７】
１８は金属製のブラケットで、座部３の左右フレーム１０のいづれに対しても着脱自在に取り付けられるもので、具体的には、ブラケット１８は係合部１９を備え、この係合部１９が、図４の如く左右フレーム１０にその上方から覆い被さる如く係合して、ブラケット１８が左右フレーム１０に取り付けられる。係合部１９はフレーム１０に貼り着けた面ファスナー１４の外側に位置すると共に、面ファスナー１４と一列に並ぶように、係合部１９の外面には面ファスナー２０が貼り着けられている。そして、図４や図５の如く第２マット１３の左右両側の前記カバー１５を垂らしてその裏面にある他方の面ファスナー１６を、フレーム１０に貼り着けた面ファスナー１４や係合部１９に貼り着けた面ファスナー２０と結合させることにより、ブラケット１８がフレーム１０に沿って、前後方向に移動しないよう固定すると共に、カバー１５によりフレーム１０や係合部１９を覆い隠して外観上スッキリとなるようにしている。図１や図２及び図３においてはこのカバー１５を取り除いた状態を示している。
【００１８】
そしてこのブラケット１８に、サイドテーブル１７が座部３の傾斜を打ち消して水平になるように着脱自在に取り付けられる。
【００１９】
サイドテーブル１７は合成樹脂製で、その裏面には、図６に示すように、ブラケット１８の取付面２１上に載置される長方形状の囲い壁２２が突設されている。この囲い壁２２の前後方向に対面する壁２３、２４はその高さが異なり、従って左右の壁２５は一方の壁２３から他方の壁２４に向かって次第に高くなるよう傾斜している。この傾斜角度は座部の左右フレーム１０の傾斜角度と同じに設定してある。前後方向に対面する壁２３、２４には、夫々高さの異なる一対の係合爪２６、２７が突設されており、また左右の壁２５、２５には、２カ所づつ位置決め用の突起２８乃至３１が設けられている。一対の係合爪のうち高さの高い係合爪２７は弾性を有して外側へ撓むようになっている。
【００２０】
ブラケット１８の取付面２１には、切り欠き３２、３３からなり前記一対の係合爪２６、２７のいづれも係合可能な被係合部が設けられ、また位置決め用突起２８乃至３１が嵌り込む切り欠き３４、３５と小孔３６、３７が設けられている。
【００２１】
かかるサイドテーブル１７とブラケット１８は、ブラケットの切り欠き３２に高さの低い係合爪２６を引っかけ、他方の切り欠き３３に高さの高い係合爪２７をその弾性力で係合させた状態Ａと（このとき囲い壁２２の先端がブラケットの取付面２１に当たり、また位置決め用の突起２８、２９が夫々ブラケットの小孔３６、３７に嵌り込み、位置決め用の突起３０、３１が夫々ブラケットの切り欠き３４、３５に嵌合して、サイドテーブル１７が移動しないようにしている。）、ブラケットの切り欠き３３に高さの低い係合爪２６を引っかけ、他方の切り欠き３２に、高さの高い係合爪２７をその弾性力で係合させた状態Ｂと（このとき囲い壁２２の先端がブラケットの取付面２１に当たり、また位置決め用の突起３０、３１が夫々ブラケットの小孔３７、３６に嵌り込み、位置決め用の突起２８、２９が夫々ブラケットの切り欠き３５、３４に嵌合して、サイドテーブル１７が移動しないようにしている。）の二つの状態のいづれかで結合する。
【００２２】
前記状態Ａは、ブラケット１８が図２のように椅子に座った人にとって右側の座部フレーム１０に取り付けられた場合のサイドテーブル１７とブラケット１８の関係を示し、サイドテーブル１７は座部３の傾斜を打ち消して水平に保たれる。
【００２３】
前記状態Ｂは、ブラケット１８が図１のように椅子に座った人にとって左側の座部フレーム１０に取り付けられた場合のサイドテーブル１７とブラケット１８の関係を示し、サイドテーブル１７は座部３の傾斜を打ち消して水平に保たれる。
【００２４】
このように、サイドテーブル１７の高さの異なる一対の係合爪２６、２７と、ブラケット１８の切り欠き３２、３３との組み合わせを選択することにより、座部の左右いづれの側面にもサイドテーブル１７を水平な状態で取り付けることができる。
【００２５】
またサイドテーブル１７は、座部３に直接取り付けたブラケット１８に取り付ける構成なので、装置のコンパクト化ができると共に、強度的にもしっかりと堅固に取り付けることができる。
【００２７】
また以上の実施例では椅子としてマッサージユニットを内蔵したマッサージ椅子を例に説明したが、本発明は、単なる椅子にも用いることができることはいうまでもない。
【００２８】
【発明の効果】
本発明によれば、後方が低くなるように傾斜した座部の左右両側のいづれにも、コンパクトな装置にて座部の傾斜を打ち消して水平になるサイドテーブルを着脱自在に取り付けることができる。装置がコンパクト化できるので、サイドテーブルを使用しない場合の保管にとっても有利となる。
【図面の簡単な説明】
【図１】本発明のサイドテーブル付き椅子で、座った人にとって左側にサイドテーブルを取り付けた場合の斜視図である。
【図２】同椅子で、座った人にとって右側にサイドテーブルを取り付けた場合の斜視図である。
【図３】座部とブラケットとサイドテーブルの関係を表す図１のＡ−Ａ線に基づく断面図である。
【図４】図３においてＢ−Ｂ線に基づく断面図である。
【図５】図３においてＣ−Ｃ線に基づく断面図である。
【図６】ブラケットとサイドテーブルの裏側を示す分解斜視図である。
【符号の説明】
３      座部
１７      サイドテーブル
１８      ブラケット
１０      左右フレーム
１９      係合部
２０      面ファスナー
１３      第２マット（座シート）
１５      カバー
１６      面ファスナー
２６      係合爪
２７      係合爪
３２      切り欠き（被係合部）
３３      切り欠き（被係合部）
【図１】
0004111695.tif 000002
【図２】
0004111695.tif 000003
【図３】
0004111695.tif 000004
【図４】
0004111695.tif 000005
【図５】
0004111695.tif 000006
【図６】
0004111695.tif 000007